(57)【要約】【課題】  電源等を使用せず、遊戯者の操作方法により競走の結果が反映されるゲーム装置を実現する。【解決手段】  遊戯者の操作するボタン又はレバーが、土台となる枠体に配置された各リブ上のコマを動力伝達装置で回転移動させることにより走行面を走る走行体のスピード調節がされる。枠体に配置されたリブ上のコマには不定期に磁石を備えており、走行面に置かれる複数の走行体にも磁石を備えている。前記走行体に配置された磁石と枠体に配置されたリブ上のコマに備えた磁石が吸引すると走行体が移動し、移動することで磁力が保持できずに停止することなどで走行の制御も発生する。【選択図】図１
2008253599.tif 000002
【特許請求の範囲】
【請求項１】
盤体の上面に形成された楕円状の走行面を磁石を備えた走行体が異なる速さで移動するようにした競走遊戯具であって、前記走行面の下方に沿って複数本の楕円のリブを設け、前記リブの上に磁力を備えるコマと磁力を備えないコマで隙間無く並べ、前記コマを遊戯者が操作するボタン又はレバーによって移動可能なコマ送りの装置を設け、遊戯者のボタン又はレバーの操作方法の優劣によって、前記走行面を走行する複数の磁石を備えた走行体を競走させ、着順を競うことを特徴とする競走遊戯具。
【請求項２】
前記コマ送り装置は、遊戯者の操作するボタン又はレバーと前記リブの上に隙間無く並べたコマをギアを使って連結し、前記コマに磁力を備えるコマと磁力を備えないコマを配置し、その割合を変えることにより、前記走行面を走行する前記走行体の内側と外側の距離の有利不利を無くすことを特徴とする請求項１に記載の競走遊戯具。
【請求項３】
前記走行体は前記磁力を備えたコマとの磁力による吸引と前記コマ送り装置により走行面の下方に沿って複数本設けたリブ上のコマがリブに沿って回転移動することにより走行面を一定方向へ移動し、遊戯者が操作するボタン又はレバーの操作方法により前記走行体と前記コマを吸引させている磁力が保持できずに前記コマのみがコマ送り装置によって移動し、走行体は走行面に停止し、再び磁力を備えたコマと吸引し移動することを繰り返し、遊戯者の操作方法により着順の結果に影響を及ぼすことを特徴とする請求項１又は２のいずれかに記載の競走遊戯具。
【発明の詳細な説明】
【技術分野】
【０００１】
本発明は、卓上で競走ゲームを楽しむことのできる競走遊戯具に関する。  
【背景技術】
【０００２】
従来、競走遊戯具には、電池等を使用した動力によって下段走行面を動かし、上段走
行面を走行する複数の模型体を競走させるようにしたものがある（たとえば、特許文献1参照）。
【０００３】
【特許文献１】登録実用新案第３０３２１５７号公報
【発明の開示】
【発明が解決しようとする課題】
【０００４】
上述の如く、従来技術に係る競走遊具は、電池等を使用した動力によって複数の模型体を競走させており、遊戯者自身が参加することにより結果に変化をつけられるものではなかった。
【０００５】
本発明は、このような点に鑑みて成されたものであり、その目的は、電源等を使用せ
ず、遊戯者自身がボタン等を押すことが動力源になり各競技の結果に変化をつけることにある。
【課題を解決するための手段】
【０００６】
上述の目的を達成するために、本発明のうち請求項１は、盤体の上面に形成された楕
円状の走行面を磁石を備えた走行体が異なる速さで移動するようにした競走遊戯具であって、前記走行面の下方に沿って複数本の楕円のリブを設け、前記リブの上に磁力を備えるコマと磁力を備えないコマで隙間無く並べ、前記コマを遊戯者が操作するボタン又はレバーによって移動可能なコマ送りの装置を設け、遊戯者のボタン又はレバーの操作方法の優劣によって、前記走行面を走行する複数の磁石を備えた走行体を競走させ、着順を競うことを特徴とする。
請求項２は、前記コマ送り装置は、遊戯者の操作するボタン又はレバーと前記リブの上に隙間無く並べたコマをギアを使って連結し、前記コマに磁力を備えるコマと磁力を備えないコマを配置し、その割合を変えることにより、前記走行面を走行する前記走行体の内側と外側の距離の有利不利を無くすことを特徴とする。
請求項３は、前記走行体は磁力を備えたコマとの磁力による吸引と前記コマ送り装置により走行面の下方に沿って複数本設けたリブ上のコマがリブに沿って回転移動することにより走行面を一定方向へ移動し、遊戯者が操作するボタン又はレバーの操作方法により前記走行体と前記コマを吸引させている磁力が保持できずに前記コマのみがコマ送り装置によって移動し、走行体は走行面に停止し、再び磁力を備えたコマと吸引し移動することを繰り返し、遊戯者の操作方法により着順の結果に影響を及ぼすことを特徴とする。
【発明の効果】
【０００７】
以上説明したように本発明によれば、遊戯者の操作方法により、遊戯者自身の制御の
届く範囲でゲームを楽しむことができる。
【発明を実施するための最良の形態】
【０００８】
以下、本発明の実施の形態を図面を参照して詳細に説明する。
【０００９】
図１において符号３０は競走遊戯具である。この競走遊戯具３０は、盤体１の上面に走行面１８が形成され、この走行面１８の上面を走行体４が走行可能に構成されている。
【００１０】
盤体１は楕円の形の上カバー２と、この上カバー２の下面に土台となる枠体５からなっており、枠体５の内部には上カバー２の走行面１８の下面に沿って同心円状に４本のリブ７ａ,７ｂ,７ｃ,７ｄが形成されている。
リブ７ａ,７ｂ,７ｃ,７ｄは所定の高さを有しており、リブ７ａ,７ｂ,７ｃ,７ｄの上部にはコマ３が隙間無く並べてあり、コマ３の下部には溝３ａがあり、前記コマ３の溝３ａにはギア９が噛合させてある。前記ギア９は、４つのボタンカバー６ａ,６ｂ,６ｃ,６ｄを遊戯者が操作することにより回転する。そのために、ボタンカバー６ａ,６ｂ,６ｃ,６ｄに取り付けてあるラック１６が下方へ移動し、前記ラック１６はギア１０に噛合し、この時ラック１６とギア１０の間にラチェット機構を介在させてある、前記ギア１０はギア８と噛合し、前記ギア８はシャフト１２を介してギア９に動力を伝達するようにしてあり、前記ギア９がコマ３の下部の溝に噛合しているのでコマ３がリブ７に沿ってコマ送り状に回転移動する。このボタンカバー６ａ，６ｂ，６ｃ，６ｄの操作でギア９を回転させてコマ３を送るようにする仕組みを上カバー２と枠体５の４ヶ所に組み、各ボタンカバー６ａ,６ｂ,６ｃ,６ｄのように各位置に各リブ７ａ,７ｂ,７ｃ,７ｄに対応するようシャフト１２の長さを変えて組入れ、ネジまたは接着等で固定する。
【００１１】
各ボタンカバー６ａ,６ｂ,６ｃ,６ｄは遊戯者がボタンカバーに力を加えると、バネ１７の反動にて戻るようになっており、図１の上カバー２に裏側より組入れる際、配した溝１５がボタンカバー１が飛び出さない為の止めの役目をし、枠体５にネジまたは接着等で固定する。
【００１２】
図２において枠体５に４本の楕円のリブ７ａ,７ｂ,７ｃ,７ｄを設け、そのリブ７ａ,７ｂ,７ｃ,７ｄにコマ３を隙間無く一周するように並べて置く。
【００１３】
前述のように、コマ３をリブ７ａ,７ｂ,７ｃ,７ｄの上に隙間無く１周することにより、内側のレーンと外側のレーンではコマの数が外側のレーンの方が内側のレーンより多くなる。そのため、内外のレーンに距離の有利不利があるが、コマ３に埋め込む磁石２１の数を外側のレーンには多くし、内側のレーンには少なくすることで内外のレーンの距離の有利不利を無くすことができる。
【００１４】
したがって、走行体４を走行面１８の上面に配置すると、走行体４の磁石２０が上カバー２を介してコマ３の磁石２１に吸引されることとなり、この状態でボタンカバー６ａ,６ｂ,６ｃ,６ｄを押すことによりリブ７ａ,７ｂ,７ｃ,７ｄに隙間無く配置されたコマ３がギア９によりコマ送り状に回動させることで、磁石２１に吸引される走行体４が走行面１８を移動することになる。
【００１５】
そして、コマ３には磁石２１を備えているものと備えていないものがあり、遊戯者がボタンカバー１を操作する力加減やタイミングを工夫することにより、走行面１８盤上に配置した走行体４の磁石２０がコマ３の磁石２１を吸引した磁力を保持できず走行体が停止し、磁石２１を備えないコマ３をいくつかコマ送りした後、再び吸引し移動することを繰り返す。遅れる走行体４があることで遊戯者が競走を楽しむことができ、且つ遊戯者自信が操作方法を工夫することで、競走の結果に変化をつけることができる。
【００１６】
以上本発明の実施の形態を説明したが、本発明の範囲はこれに限定されるものではない。例えば遊戯参加者の人数や操作ボタンの数、リブの数、配置の位置、模型体の数、コマの溝の数や磁石の数を状況に応じて適宜選択されるものである。尚、ボタン操作に代えて、レバー操作にするようにしてもよい。
【図面の簡単な説明】
【００１７】
【図１】本発明の競走遊戯具を示すもので、（ａ）は斜視図，（ｂ）は（ａ）のＡ部の拡大図である。
【図２】本発明の競走遊戯具における枠体の平面図である。
【図３】図１に示す本発明の競走遊戯具の切断側面図である。
【図４】図１のボタンカバー部を組み立てた分解斜視図である。
【符号の説明】
【００１８】
１  盤体
２  上カバー
３  コマ
４  走行体
５  枠体
６ａ,６ｂ,６ｃ,６ｄ  ボタンカバー
７ａ,７ｂ,７ｃ,７ｄ  リブ
８  ギア
９  ギア
１０  ギア
１１  ネジ
１２  シャフト
１５  溝
１６  ラック
１８  走行面
２０  磁石
２１  磁石
【図１】
2008253599.tif 000003
【図２】
2008253599.tif 000004
【図３】
2008253599.tif 000005
【図４】
2008253599.tif 000006